(57)【特許請求の範囲】
【請求項１】
ガス漏れを検知するガス漏れ警報器と、ガス漏れの発生を通報する通報信号が入力された場合にガス漏れを表示する警報表示盤とに接続されたガス漏れ通報停止装置であって、
前記ガス漏れ警報器からガス漏れ警報を入力する警報入力手段と、
前記警報入力手段が入力したガス漏れ警報を無効にする操作を行うための操作手段と、
前記操作手段が操作された場合、ガス漏れを検知したガス漏れ警報器を再度ガス漏れが検知できる状態に設定する復旧信号を前記ガス漏れ警報器に所定の時間入力することにより、前記通報信号の出力を所定の時間停止する通報停止手段と、
を備えることを特徴とするガス漏れ通報停止装置。
【請求項２】
前記通報停止手段は、前記操作手段が操作された後、所定の時間内に前記警報入力手段によって前記ガス漏れ警報が入力されない場合に、前記復旧信号を前記ガス漏れ警報器に入力しないこと、を特徴とする請求項１に記載のガス漏れ通報停止装置。
【請求項３】
前記通報停止手段は、前記操作手段が操作された後、所定の時間内に再度前記操作手段が操作された場合に、前記復旧信号を前記ガス漏れ警報器に、再度前記操作手段が操作されてから所定の時間入力することにより、前記通報信号の出力を所定の時間停止すること、を特徴とする請求項１または請求項２に記載のガス漏れ通報停止装置。
【請求項４】
ガス漏れを検知するガス漏れ検知手段と、該ガス漏れ検知手段によってガス漏れが検知された場合にガス漏れが発生したことを外部に通報する通報信号を出力する通報手段と、を備えるガス漏れ警報器であって、
前記通報手段の通報を停止する操作を行うための通報停止操作手段と、
前記通報停止操作手段が操作されたとき、所定の時間を計時する通報停止時間計時手段と、
前記通報停止時間計時手段による所定の時間の計時中、ガス漏れを検知したガス漏れ検知手段を再度ガス漏れが検知できる状態に設定する復旧信号を前記ガス漏れ検知手段に入力することにより、前記通報手段が出力する通報信号を停止する通報停止手段と、
を備えることを特徴とするガス漏れ警報器。
【発明の詳細な説明】
【０００１】
【発明の属する技術分野】
本発明は、ガス漏れを検知して警報を発するガス漏れ検知器、ガス漏れ警報器が発する警報に基づくガス漏れの通報を停止するガス漏れ通報停止装置に関する。
【０００２】
【従来の技術】
現在、ガス漏れを検知して警報を発するガス漏れ警報器が広く使用されている。ガス漏れ警報器は、ガス漏れを検知した場合にブザーを鳴動させるなどしてガス漏れがあったことを知らせている。ガス漏れ警報器には、一つの建物の中に複数の家庭やテナントが入っている施設に設けられてガス漏れを警報するものと、各家庭に設けられるものとがある。
【０００３】
図９（ａ）は、複数の家庭やテナントが入っている施設（マンションやテナントビル）にガス漏れ警報器１を設けた構成を示している。また、(ｂ)は、各家庭にガス漏れ警報器１を設けた構成を示している。(ａ)、(ｂ)に示した構成は、いずれもガス漏れ警報器１が所定の濃度以上のガスを検知するとブザーを鳴動させるなどの方法によってガス漏れが発生したことを知らせる。
【０００４】
ブザーの鳴動は所定の時間（例えば４５秒間）続き、その間にガスが所定の濃度以下になった場合にはガス漏れ警報器がブザーを停止し、自動的にガス漏れ警報器１は復旧する。一方、所定の時間内にガスが所定の濃度以下にならなかった場合、ガス漏れが発生したことを監視装置３に通報する。監視装置３はさらに警備会社など、予め決められた通報先にある監視センタ４と電話回線やネットワーク回線（実施の形態１ではネットワーク回線Ｎとする）で接続されていて、ガス漏れの通報はネットワーク回線Ｎを介して監視センタ４に送信される。
【０００５】
また、マンションなどにガス漏れ警報器１を設けた構成では、図９(ｂ)に示したようにガス漏れ警報器１と監視装置３との間に警報表示盤２を設けている。警報表示盤２は、施設全体を管理する管理人室などに設けられていて、複数の家庭やテナントのいずれでガス漏れがあったかを管理人に知らせる構成である。警報表示盤２を設けた場合、ガス漏れ警報器１が通報を行った後の復旧方法は、管理人が警報表示盤２において所定の操作を行い、ガス漏れ警報器１に対して復旧信号を送信することによって行われる。ガス漏れ警報器１は、通報を行うとガスの濃度が所定以下となっても復旧せず、警報表示盤２からの復旧信号により復旧するように構成されている。
【０００６】
以上述べた従来のガス漏れ警報器１でなされる処理を、図１０にフローチャートとして示す。図示したフローチャートによれば、ガス漏れ警報器１がガス漏れを検知した場合（ステップＳ１）、ブザーを鳴動させる（ステップＳ２）。また、所定の時間内にガスの濃度が所定の濃度以下になった場合にはガス漏れ警報器を再度ガス漏れ警報ができる状態に設定（復旧）すると共に（ステップＳ４）、ブザーを停止する（ステップＳ１０）。また、ガス濃度が所定の濃度以下にならなかった場合には警報を発し（ステップＳ６）、監視装置にガス漏れが発生したことを外部に通報させる。その後、管理人等の操作により警報表示盤２から復旧信号が入力したとき（ステップＳ７：Ｙｅｓ）、ガス漏れ警報器１において検知されるガスの濃度が所定以下となり安全な状態に復旧していれば（ステップＳ８：Ｙｅｓ）、ガス漏れ警報器１は復旧する（ステップＳ９）。
【０００７】
【発明が解決しようとする課題】
ところが、ガス漏れ警報器１は、料理に使用されるアルコールやスプレーに含まれる揮発性の成分を検知して警報を発することがある。このようなガスの場合、各家庭ではその警報が誤検知による警報（誤報）であることを住人が直ちに理解できるにもかかわらず、所定時間内にガスを排除することができず、監視装置３にガス漏れが通報される場合がある。なお、警報を出力するまでの所定時間を延長し、誤報である場合にガスを排除するのに十分な時間を確保することも考えられるが、本当にガス漏れが発生した場合に警報出力が遅れてしまうため、所定時間を無用に長くすることはできなかった。
【０００８】
さらに、ガス漏れが警報表示盤２に通報された場合には、管理人は通報が誤報であることを確認した上でガス漏れ警報器１を復旧しなければならなかった。さらに、警報表示盤２が設置された場所では、被害拡大防止を目的として施設内の他の家庭やテナントにガス漏れが発生したことを知らせる場合があるが、誤報が警報表示盤２に送られると、施設内の他の家庭やテナントにガス漏れが発生した旨の報知が行われ、他者に不要な不安感を与えてしまうことが懸念される。
【０００９】
本発明は上述の問題点を解決するために成されたものであり、ガス漏れ警報器の誤報による通報を防いで管理側の負荷を軽減すると共に、警報の信頼性を高めることができるガス漏れ通報停止装置およびガス漏れ警報器を提供することを第１の目的とする。また、よりガス漏れ警報器を簡易に復旧できるガス漏れ通報停止装置を提供することを第２の目的とする。
【００１０】
【課題を解決するための手段】
上記した課題を解決し、目的を達成するため、請求項１に記載の発明にかかるガス漏れ通報停止装置は、ガス漏れを検知するガス漏れ警報器と、ガス漏れの発生を通報する通報信号が入力された場合にガス漏れを表示する警報表示盤とに接続されたガス漏れ通報停止装置であって、ガス漏れ警報器からガス漏れ警報を入力する警報入力手段と、前記警報入力手段が入力したガス漏れ警報を無効にする操作を行うための操作手段と、前記操作手段が操作された場合、ガス漏れを検知したガス漏れ警報器を再度ガス漏れが検知できる状態に設定する復旧信号を前記ガス漏れ警報器に所定の時間入力することにより、ガス漏れの発生を通報する通報信号の出力を所定の時間停止する通報停止手段と、を備えることを特徴とする。
【００１１】
この請求項１に記載の発明によれば、操作手段を操作することによってガス漏れ警報を無効にすることができる。また、操作手段が操作された場合、ガス漏れを検知したガス漏れ警報器を再度ガス漏れが検知できる状態に設定する復旧信号を前記ガス漏れ警報器に所定の時間入力し、ガス漏れ警報器を復旧させるのに十分な時間を確保し、容易にガス漏れ警報器を復旧させることができる。
【００１２】
請求項２に記載の発明にかかるガス漏れ通報停止装置は、請求項１に記載のガス漏れ通報停止装置において、前記通報停止手段は、前記操作手段が操作された後、所定の時間内に前記警報入力手段によって前記ガス漏れ警報が入力されない場合に、前記復旧信号を前記ガス漏れ警報器に入力しないこと、を特徴とする。
【００１３】
この請求項２に記載の発明によれば、誤って操作手段を操作した場合にも、所定時間内に警報信号が入力されない場合には通報停止手段が復旧信号を出力することなく、処理を終了し、ユーザの誤操作によって操作手段を操作した後にガス漏れが発生した場合にガス漏れの警報が表示されないことを防ぎ、適切にガス漏れを通知することができる。
【００１４】
請求項３に記載の発明にかかるガス漏れ通報停止装置は、請求項１または請求項２に記載のガス漏れ通報停止装置において、前記通報停止手段は、前記操作手段が操作された後、所定の時間内に再度前記操作手段が操作された場合に、前記復旧信号を前記ガス漏れ警報器に、再度前記操作手段が操作されてから所定の時間入力することにより、前記通報信号の出力を所定の時間停止すること、を特徴とする。
【００１５】
この請求項３に記載の発明によれば、予め設定されている時間内にガス濃度をガス漏れと判断される濃度以下にできない場合には再度通報停止手段を操作して通報停止時間を延長することができ、料理に使用されるアルコールやスプレー等ガス漏れでないとユーザによって判断できる場合に、アルコールやスプレーの濃度が下がるまで通報を停止することができ、誤報を防止することができる。
【００１６】
請求項４に記載の発明にかかるガス漏れ警報器はガス漏れを検知するガス漏れ検知手段と、該ガス漏れ検知手段によってガス漏れが検知された場合にガス漏れが発生したことを外部に通報する通報信号を出力する通報手段と、を備えるガス漏れ警報器であって、前記通報手段の通報を停止する操作を行うための通報停止操作手段と、前記通報停止操作手段が操作されたとき、所定の時間を計時する通報停止時間計時手段と、前記通報停止時間計時手段による所定の時間の計時中、ガス漏れを検知したガス漏れ検知手段を再度ガス漏れが検知できる状態に設定する復旧信号を前記ガス漏れ検知手段に入力することにより、前記通報手段が出力する通報信号を停止する通報停止手段と、を備えることを特徴とする。
【００１７】
この請求項４に記載の発明によれば、通報停止操作手段を操作することにより、ガス漏れが発生したことを外部に通報する通報信号を出力する通報手段の通報を所定時間停止することができる。また、通報停止操作手段が操作されたとき、ガス漏れ警報器を復旧させるのに十分な時間を確保し、容易にガス漏れ警報器を復旧させることができる。
【００１８】
【発明の実施の形態】
以下に添付図面を参照して、この発明にかかるガス漏れ通報停止装置、ガス漏れ警報器の好適な実施の形態である実施の形態１、２を詳細に説明する。
【００１９】
（実施の形態１）
図１は、実施の形態１のガス漏れ通報停止装置である通報停止部１０５を適用した構成を説明するための図であって、(ａ)は複数のガス漏れ警報器１０１を１つの施設（本実施の形態ではマンションとする）に配置した構成である。また、(ｂ)は、ガス漏れ警報器１０１を単独の家庭に設けた構成を示した図である。
【００２０】
図１(ａ)に示した構成、図１(ｂ)に示した構成は、いずれもガス漏れ警報器１０１、ガス漏れ警報器１０１の警報の出力を所定の時間停止する通報停止部１０５、ガス漏れ警報器１０１の動作を監視する監視装置１０３、警備会社にあって監視装置１０３とネットワーク回線Ｎで接続された監視センタ１０４を備えている。そして、(ａ)に示すマンションにガス漏れ警報器１０１を設けた構成は、(ｂ)にない警報表示盤１０２を通報停止部１０５と監視装置１０３との間に備えている。以下、実施の形態１では、ガス漏れ警報器１０１をマンションなどに設けた図１（ａ）の構成について説明を行うものとする。
【００２１】
ガス漏れ警報器１０１は、ガスの濃度を検知するセンサ、センサが所定の濃度以上のガスを検知した場合に鳴動するブザー、警報を発するための信号を出力する装置を有している。センサ、ブザー、信号の出力装置はいずれも周知の構成であるために詳細な説明を省く。
【００２２】
通報停止部１０５は、各家庭の住人（ユーザ）が監視装置１０３に対するガス漏れ警報の送信を停止させるために操作するガス漏れ警報器１０１の近くに設けられたボタンやスイッチなどを備えている。通報停止部１０５が操作されると、所定時間、ガス漏れ警報器１０１から出力されるガス漏れの通報が警報表示盤１０２または監視装置１０３へ送信されない状態となる。また、ガス漏れ警報器１０１を復旧させる動作を行う。
【００２３】
図２は、通報停止部１０５の構成を説明するためのブロック図である。通報停止部１０５は、ガス漏れ警報器１０１と信号を授受するための入出力部２０１、警報表示盤１０２と信号を授受するための入出力部２０３、ユーザが通報の停止の指示を入力するためのボタンあるいはスイッチ部分である操作部２０２、操作部２０２の操作によって所定の時間を計時するタイマ２０６、以上の構成を制御する制御部２０４、制御部２０４の処理に使用されるプログラムなどが記憶されている記憶部２０５を備えている。
【００２４】
以上の構成のうち、入出力部２０１がガス漏れ警報器１０１からガス漏れの発生を示す警報信号を入力する。また、操作部２０２は、入出力部２０１が入力した警報信号を無効にする操作を行うための構成である。なお、実施の形態１でいう警報信号の無効化とは、ガス漏れ警報器１０１から警報信号が出力されても警報表示盤等の出力先に入力されない、あるいは出力先が警報信号によって動作しない状態にすることをいう。また、警報信号の無効化は、操作部２０２が操作された場合に制御部２０４によって実行される。
【００２５】
また、実施の形態１では、警報信号の無効化を行うとともに、入出力部２０１を介してガス漏れを検知したガス漏れ警報器１０１を再度ガス漏れが検知できる状態に設定する（復旧する）復旧信号をガス漏れ警報器１０１に所定の時間入力するようにしている。警報信号を無効にする操作が行われると、監視装置１０３、監視センタ１０４にガス漏れの発生が通報されない状態となる。このため、本明細書では、警報信号の無効化を、通報の停止とも記す。
【００２６】
以上の構成は、以下のように動作する。ガス漏れ警報器１０１がガス漏れを検知した場合、ガス漏れ警報器１０１はブザーを鳴動させるとともに第１の所定時間（例えば４５秒）の計時を開始する。このとき、ブザーの鳴動によりガス漏れ警報器１０１の作動を知ったユーザが操作部２０２を操作して通報の停止を指示すると、通報停止部１０５がタイマ２０６によって第２の所定時間（例えば３分間）の計時を開始する。すると、ガス漏れ警報器１０１は第１の所定時間が経過した後に警報信号ａを入出力部２０１を介して通報停止部１０５に入力するが、第２の所定時間が経過するまでは警報信号ａを警報表示盤１０２へ送信しない。また、通報停止部１０５は第２の所定時間を計時中、ガス漏れ警報器に対して復旧信号を出力し、ガス漏れ警報器１０１は、復旧信号を受信中にガスの濃度が所定以下となれば通常状態に復帰する。なお、ガス漏れ警報器１０１は、第１の所定時間を計時中にガスの濃度が所定以下となれば自動的に復旧し、ブザーの鳴動を停止する。
【００２７】
また、第１の所定時間が経過しても操作部２０２が操作されず、ガス漏れ警報器１０１から警報信号ａが出力された場合、警報信号ａが通報停止部１０５を介して警報表示盤１０２に入力する。警報表示盤は警報信号ａが入力すると、どの場所でガス漏れが発生したかを管理人に知らせるとともに、監視装置を介して所定の通報先へ報知する。ガス漏れの警報を知った管理人は、ガス漏れの警報が誤報である、あるいはガス漏れが復旧して安全な状態になったことを確認すると、警報表示盤１０２を操作して復旧信号ｂを出力し、通報停止部１０５を介してガス漏れ警報器１０１に入力する。
【００２８】
図３は以上述べた実施の形態１でなされる処理を説明するためのフローチャートであって、特に実施の形態１において通報停止部１０５が行う処理を示している。
【００２９】
通報停止部１０５の制御部２０４は、操作部２０２が操作されたか否か判断する（ステップＳ３０１）。操作部２０２の操作がなされていない場合（ステップＳ３０１：Ｎｏ）、ガス漏れ警報器１０１から警報信号ａが入力されたか否か判断し（ステップＳ３０６）、警報信号ａが入力された場合には警報信号ａを警報表示盤１０２に出力する（ステップＳ３０７）。なお、警報信号ａが入力されていない場合（ステップＳ３０６：Ｎｏ）には、警報信号ａが入力するまで待機する。
【００３０】
ステップＳ３０１の判断の結果、操作部２０２が操作された場合には（ステップＳ３０１：Ｙｅｓ）、タイマ２０６による計時（第２の所定時間の計時）をスタートする（ステップＳ３０２）。また、制御部２０４は、タイマ２０６による所定時間の計時が終了するまで入出力部２０１から復旧信号ｂをガス漏れ警報器１０１に出力し（ステップＳ３０３）、警報信号ａの出力を停止する。
【００３１】
さらに、制御部２０４は、所定時間の計時が終了した、つまり所定時間が経過したか否か判断する（ステップＳ３０４）。この結果、所定時間が経過したと判断された場合には（ステップＳ３０４：Ｙｅｓ）、タイマ２０６による計時を終了し（ステップＳ３０５）、処理を終了する。
【００３２】
以上述べた実施の形態１の通報停止部１０５は、ガス漏れ警報器のブザーが鳴動してからユーザが操作部２０２を操作することによってガス漏れが監視装置１０３に通報されることを所定の時間停止することができる。このため、実施の形態１は、警報が誤報である場合、あるいは換気によってガス漏れ警報器を復旧可能である場合にはガス漏れが検知されたことを外部に通報することをなくしている。このような処理により、実施の形態１は、ガス漏れ警報器の管理者の負担を軽減するとともにガス漏れ警報器の信頼性を高めるガス漏れ通報停止装置を提供することができる。
【００３３】
さらに、実施の形態１の通報停止部１０５は、復旧信号ｂを利用してガス漏れ警報器が発する警報信号ａを無効化している。このため、ガス漏れ警報器１０１がガス漏れを検知した場合にも、復旧信号をガス漏れ警報器１０１に出力してガス漏れ警報器１０１を復旧させることができる。このため、実施の形態１の通報停止部１０５を適用した構成は、ガス漏れ警報器１０１がガス漏れを検知し、かつ、ガス漏れが警報表示盤１０２に通報されなかった場合に簡易にガス漏れ警報器１０１を復旧させることができる。
【００３４】
次に、通報停止部１０５でなされる他の処理を図４を用いて説明する。図４に示したフローチャートは、操作部２０２が誤って操作された場合に動作することなく処理を終了する処理を図３に示したフローチャートに加えたものである。
【００３５】
通報停止部１０５の制御部２０４は、操作部２０２が操作されたか否か判断する（ステップＳ４０１）。操作部２０２の操作がなされていない場合（ステップＳ４０１：Ｎｏ）、ガス漏れ警報器１０１から警報信号ａが入力されたか否か判断し（ステップＳ４１１）、警報信号ａが入力された場合には警報信号ａを警報表示盤１０２に出力する（ステップＳ４１２）。なお、警報信号ａが入力されていない場合（ステップＳ４１１：Ｎｏ）には、警報信号ａが入力するまで待機する。
【００３６】
ステップＳ４０１における判断の結果、操作部２０２が操作された場合には（ステップＳ４０１：Ｙｅｓ）、タイマ２０６のうち、第３タイマによる第３所定時間の計時を開始する（ステップＳ４０２）。そして、第３所定時間の計時中に警報信号ａが入力されたか否か判断し（ステップＳ４０３）、警報信号ａが出力された場合には第３タイマによる計時を終了する（ステップＳ４０４）。また、警報信号ａが入力されない場合（ステップＳ４０３：Ｎｏ）、第３所定時間が経過したか否か判断する（ステップＳ４０９）。
【００３７】
ステップＳ４０９において第３所定時間が経過したと判断された場合には（ステップＳ４０９：Ｙｅｓ）、第３タイマによる計時を終了し（ステップＳ４１０）、処理を終了する。このような処理によれば、誤ってユーザが操作部２０２を操作した場合にも、第３所定時間内に警報信号が入力されない場合には通報停止部１０５が復旧信号を出力することなく、処理を終了する。このため、ユーザの誤操作によって通報停止部１０５が動作することをなくすことができる。
【００３８】
また、ステップＳ４０４における第３タイマの計時終了後、通報停止部１０５は、第２タイマの計時をスタートする（ステップＳ４０５）。また、制御部２０４は、タイマ２０６による所定時間の計時が終了するまで入出力部２０１から復旧信号ｂをガス漏れ警報器１０１に出力し（ステップＳ４０６）、警報信号ａの出力を停止する。
【００３９】
さらに、制御部２０４は、第２所定時間が経過したか否か判断する（ステップＳ４０７）。この結果、第２所定時間が経過したと判断された場合には（ステップＳ４０７：Ｙｅｓ）、第２タイマによる計時を終了し（ステップＳ４０８）、処理を終了する。
【００４０】
次に、通報停止部１０５でなされるさらに他の処理を図５を用いて説明する。図５に示したフローチャートは、設定されている時間内にガス漏れ警報器１０１が復旧できなかった場合、通報が停止される時間を延長する処理を図３に示したフローチャートに加えたものである。
【００４１】
通報停止部１０５の制御部２０４は、操作部２０２が操作されたか否か判断する（ステップＳ５０１）。操作部２０２の操作がなされていない場合（ステップＳ５０１：Ｎｏ）、ガス漏れ警報器１０１から警報信号ａが入力されたか否か判断し（ステップＳ５０８）、警報信号ａが入力された場合には警報信号ａを警報表示盤１０２に出力する（ステップＳ５０９）。なお、警報信号ａが入力されていない場合（ステップＳ５０８：Ｎｏ）には、警報信号ａが入力するまで待機する。
【００４２】
ステップＳ５０１における判断の結果、操作部２０２が操作された場合には（ステップＳ５０１：Ｙｅｓ）、タイマ２０６によって所定時間の計時を開始する（ステップＳ５０２）。そして、所定時間の計時中、ガス漏れ警報器１０１に対して復旧信号ｂを出力し（ステップＳ５０３）、所定時間が経過したか否か判断する（ステップＳ５０４）。そして、所定時間が経過したと判断された場合（ステップＳ５０４：Ｙｅｓ）、タイマ２０６による計時を終了し（ステップＳ５０５）、すべての処理を終了する。
【００４３】
また、ステップＳ５０４において、所定時間が経過していないと判断された場合（ステップＳ５０４：Ｎｏ）、制御部２０４は、続いて、操作部２０２に対し、通報を停止するための操作が再度なされたか否か判断する（ステップＳ５０６）。この判断の結果、通報停止の操作がなされていないと判断されると（ステップＳ５０６：Ｎｏ）、復旧信号の出力を継続する（ステップＳ５０３）。
【００４４】
一方、ステップＳ５０６において操作部２０２が再度操作されたと判断された場合（ステップＳ５０６：Ｙｅｓ）、制御部２０４は、タイマ２０６の計時をリセットする（ステップＳ５０７）。タイマ２０６は、リセットされたことによって再度所定時間の計時を開始する。そして、通報停止部１０５からは、タイマ２０６が時間を計時している間復旧信号をガス漏れ警報器１０１に出力する。
【００４５】
このような処理によれば、タイマ２０６の計時時間が所定の時間よりもリセットされた時点ですでに計時されていた時間分長くなり、通報が停止される時間が長くなる。したがって、ユーザは、予め設定されている時間内にガス濃度をガス漏れと判断される濃度以下にできない場合には再度通報停止部１０５を操作して通報停止時間を延長することができる。
【００４６】
（実施の形態２）
実施の形態２は、実施の形態１で述べた通報停止部の構成をガス漏れ警報器に一体的に組み込んだガス漏れ警報器を説明するものである。なお、実施の形態２において、実施の形態１で説明した構成と同様の構成については同様の符号を付し、説明を一部略すものとする。
【００４７】
図６は、実施の形態２のガス漏れ警報器６０１を適用した構成を説明するための図であって、(ａ)は複数のガス漏れ警報器６０１をマンションに配置した構成である。また、(ｂ)は、ガス漏れ警報器６０１を単独の家庭に設けた構成を示した図である。ガス漏れ警報器６０１は、ガス漏れ警報器６０１が発する警報を所定の時間無効化してガス漏れの通報を停止する通報停止部６０１ａを備えている。
【００４８】
図７は、ガス漏れ警報器６０１の構成を説明するためのブロック図である。ガス漏れ警報器６０１は、所定の濃度以上のガスの検知によってガス漏れを検知する検知部７０１、検知部７０１の検知が誤動作であるか否か判断する判断部７０２、判断部７０２によって検知部７０１がガス漏れを検知したと判断したとき例えばブザーを鳴動する報知部７０３、入出力部７０８の通報を停止する操作を行うための操作部７０４、操作部７０４が操作されたとき、所定の時間を計時するタイマ７０７、ガス漏れが発生したことを外部に通報する入出力部７０８、以上の構成を制御する制御部７０５、制御部７０５の処理に使用されるデータやプログラムを記憶する記憶部７０６を備えている。以上の構成のうち、入出力部７０８、操作部７０４、制御部７０５、記憶部７０６、タイマ７０７が実施の形態２の通報停止部６０１ａを構成する。
【００４９】
入出力部７０８は、警報表示盤１０２に対して警報信号ａを出力する一方、警報表示盤１０２が出力する復旧信号ｂを入力する。実施の形態２の復旧信号ｂは、ガス漏れ警報器６０１の復旧にのみ使用される。また、制御部７０５は、例えばタイマ７０７の計時中は入出力部７０８を制御して警報信号ａの出力を停止する。
【００５０】
また、判断部７０２は、検知部７０１の検知がガス漏れを検知してなされたものか、あるいはガス以外の物質を検知したことによる誤作動かを判断するため、蓄積動作とよばれる処理を行う。ここでいう蓄積動作では、所定の時間継続してガス漏れと判断される以上の濃度のガスが検知された場合にガス漏れと判断し、所定の時間内にガス濃度が低下した場合には問題なしと判断してガス漏れ警報器６０１を復旧させる。
【００５１】
さらに、報知部７０３によるブザーの鳴動は、判断部７０２がガス漏れ警報器６０１を復旧させる、あるいは警報表示盤１０２から入出力部７０８に復旧信号ｂが入力されるまで継続する。
【００５２】
上記した実施の形態２のガス漏れ警報器は、ガス漏れ警報器の管理者の負担を軽減するとともにガス漏れ警報器の信頼性を高めることができる。
【００５３】
図８は、以上述べた実施の形態２でなされる処理を説明するためのフローチャートである。
【００５４】
図８に示すように、ガス漏れ警報器６０１は、ガス漏れを検知したか否か判断する（ステップＳ８０１）。ガス漏れが検知されない場合には（ステップＳ８０１：Ｎｏ）、検知動作を繰り返す。また、ガス漏れが検知された場合には（ステップＳ８０１：Ｙｅｓ）、ブザーを鳴動させ（ステップＳ８０２）、第１タイマによる計時を開始する（ステップＳ８０３）。なお、第１タイマは、ガス漏れ警報器６０１がガス漏れを検知してから警報を出力するまでの保留時間である第１所定時間を計時するタイマである。ガス漏れ検知が誤報である場合には、保留時間の間にユーザが操作部７０４の操作を行い、誤報の原因となった気体の排除等を行う。
【００５５】
その後、ガス漏れ警報器６０１は、検知されるガスの濃度が所定以下となり安全な状態に復旧したか否か判断する（ステップＳ８０４）。そして、ガスの濃度が所定以下となった場合（ステップＳ８０４：Ｙｅｓ）、ガス漏れ警報器６０１のブザー鳴動を停止し（ステップＳ８０５）、第１タイマの計時を停止する（ステップＳ８０６）。
【００５６】
また、ガス漏れ警報器６０１は、検知されるガスの濃度が所定以下にならず安全な状態に復旧していないと判断した場合（ステップＳ８０４：Ｎｏ）、操作部７０４が操作されたか否か判断する（ステップＳ８０７）。そして、操作部７０４が操作されたと判断すると（ステップＳ８０７：Ｙｅｓ）、第１タイマの計時を停止し（ステップＳ８０８）、第２タイマによる計時を開始する（ステップＳ８０９）。第２タイマは、通報停止部６０１ａによって通報が停止される時間である第２所定時間を計時するタイマである。
【００５７】
第２タイマによる計時を開始すると、通報停止部６０１ａは、警報表示盤１０２または監視装置１０３へ警報を出力しないようにするとともに、復旧信号をガス漏れ警報器６０１に出力し、ガス漏れ警報器６０１を通常の状態に復旧させるためのトリガを与える（ステップＳ８１０）。この復旧信号の出力は第２所定時間が経過するまで行われ（ステップＳ８１１）、第２タイマの計時を停止する（ステップＳ８１２）。その後、ガス漏れ警報器６０１は、検知されるガスの濃度が所定低下となり安全な状態に復旧したか判断する（ステップＳ８１３）。
【００５８】
ステップＳ８１３における判断の結果、ガス漏れ警報器６０１が復旧している場合には（ステップＳ８１３：Ｙｅｓ）、ガス漏れ警報器６０１が再度ガス漏れ検知ができる状態に復旧となり（ステップＳ８１４）、ガス漏れ警報器６０１は処理をすべて終了する。
【００５９】
また、ステップＳ８１３における判断の結果、ガス漏れ警報器６０１が復旧できないと判断された場合（ステップＳ８１３：Ｎｏ）、通報停止部６０１ａからガス漏れ警報器６０１に対する復旧信号の出力を停止し、警報表示盤１０２に対して警報信号ａを出力する（ステップＳ８１７）。この結果、警報表示盤１０２が監視装置１０３にガス漏れが発生したことを通報する。
【００６０】
その後、ガス漏れ警報器６０１は、ガス漏れ警報器６０１に復旧信号ｂが入力したか否か判断する（ステップＳ８１８）。この判断の結果、復旧信号ｂが入力された場合には（ステップＳ８１８：Ｙｅｓ）、ガス漏れ警報器６０１によって検知されるガス濃度が所定の濃度以下になり安全な状態に復旧したか否か判断する（ステップＳ８１９）。
【００６１】
そして、検知されるガス濃度が所定の濃度以下になった場合には（ステップＳ８１９：Ｙｅｓ）、ガス漏れ警報器６０１がガス漏れが検知できる状態に復旧となる（ステップＳ８２０）。なお、復旧信号ｂが入力されていないと判断された場合（ステップＳ８１８：Ｎｏ）、所定の濃度以上のガスがガス漏れ警報器１０１で検知された場合（ステップＳ８１９：Ｎｏ）には、復旧信号ｂがガス漏れ警報器６０１に入力し、かつ、ガス漏れ警報器６０１によって所定の濃度以上のガスが検出されなくなるまで待機する。
【００６２】
さらに、ステップＳ８０７において、操作部７０４が操作されなかったと判断した場合（ステップＳ８０７：Ｎｏ）、第１所定時間が経過したか否か判断する（ステップＳ８１５）。この結果、第１所定時間が経過したと判断された場合（ステップＳ８１５：Ｙｅｓ）、第１タイマを停止し（ステップＳ８１６）、警報表示盤１０２に警報を出力する（ステップＳ８１７）。また、ステップＳ８１５で第１所定時間が経過していないと判断された場合（ステップＳ８１５：Ｎｏ）、ステップＳ８０４に戻ってガス濃度が所定の濃度以下になったか否か判断する。
【００６３】
【発明の効果】
以上説明したように、請求項１に記載の発明は、操作手段を操作することによりガス漏れが発生したことを示す通報信号の出力を所定の時間停止することができるので、ガス漏れ警報器の誤報による通報を防いで管理側の負荷を軽減すると共に警報の信頼性を高めることができるガス漏れ通報停止装置を提供することができる。また、ガス漏れ警報器を復旧させるための十分な時間を確保することができる。さらに、操作手段の操作により出力される復旧信号を利用してガス漏れ警報器を復旧させることができるので、よりガス漏れ警報器を簡易に復旧できるガス漏れ通報停止装置を提供することができるという効果を奏する。
【００６４】
請求項２に記載の発明は、誤ってユーザが操作手段を操作した場合にも、所定時間内に警報信号が入力されない場合には通報停止手段が復旧信号を出力することなく、処理を終了し、ユーザの誤操作によって操作手段を操作した後にガス漏れが発生した場合にガス漏れの警報が表示されないことを防ぎ、適切にガス漏れを通知することができる。
【００６５】
請求項３に記載の発明は、予め設定されている時間内にガス濃度をガス漏れと判断される濃度以下にできない場合には再度通報停止手段を操作して通報停止時間を延長することができ、料理に使用されるアルコールやスプレー等ガス漏れでないとユーザによって判断できる場合に、アルコールやスプレーの濃度が下がるまで通報を停止することができ、誤報を防止することができる。
【００６６】
請求項４に記載の発明は、通報停止操作手段の操作によって所定の時間の計時中は通報手段が出力する通報信号を停止することができるので、誤報による通報を防いで管理側の負荷を軽減すると共に警報の信頼性を高めることができるガス漏れ警報器を提供することができるという効果を奏する。また、ガス漏れ警報器を復旧させるための十分な時間を確保することができる。
【図面の簡単な説明】
【図１】  本発明による実施の形態１のガス漏れ通報停止装置を適用した構成を説明するための図である。
【図２】  通報停止部の構成を説明するためのブロック図である。
【図３】  実施の形態１の通報停止部でなされる処理を説明するためのフローチャートである。
【図４】  実施の形態１の通報停止部でなされる処理を説明するための他のフローチャートである。
【図５】  実施の形態１の通報停止部でなされる処理を説明するための他のフローチャートである。
【図６】  本発明による実施の形態２のガス漏れ警報器を適用した構成を説明するための図である。
【図７】  実施の形態２のガス漏れ警報器の構成を説明するためのブロック図である。
【図８】  実施の形態２のガス漏れ警報器でなされる処理を示すフローチャートである。
【図９】  従来のガス漏れ警報器を説明するための図である。
【図１０】  図９に示したガス漏れ警報器でなされる処理を説明するためのフローチャートである。
【符号の説明】
１０１，６０１  ガス漏れ警報器
１０２  警報表示盤
１０３  監視装置
１０４  監視センタ
１０５  通報停止部
２０１  入出力部
２０２，７０４  操作部
２０３，７０８  入出力部
２０４，７０５  制御部
２０５，７０６  記憶部
２０６，７０７  タイマ
６０１ａ  通報停止部
７０１  検知部
７０２  判断部
７０３  報知部
【図１】
0003940630.tif 000002
【図２】
0003940630.tif 000003
【図３】
0003940630.tif 000004
【図４】
0003940630.tif 000005
【図５】
0003940630.tif 000006
【図６】
0003940630.tif 000007
【図７】
0003940630.tif 000008
【図８】
0003940630.tif 000009
【図９】
0003940630.tif 000010
【図１０】
0003940630.tif 000011